(57)【要約】【課題】デザイン性の向上を図ると共に、薄型化を図ることができる端末用筐体を提供すること。【解決手段】情報処理端末の外面を形成する少なくとも２以上に分割された分割ケース部と、少なくとも１つの分割ケース部に形成されその外面の一部が切除された外面切除部と、この外面切除部の形状に対応して形成され当該外面切除部を覆う着脱可能なカバー部と、を備えた端末用筐体であって、外面切除部は、当該外面切除部が形成されている分割ケース部によって外面切除部の周囲の一部が塞がれていない開放部分を有する、ことを特徴としている。【選択図】図１
2008131064.tif 000002
【特許請求の範囲】
【請求項１】
情報処理端末の外面を形成する少なくとも２以上に分割された分割ケース部と、少なくとも１つの前記分割ケース部に形成されその外面の一部が切除された外面切除部と、この外面切除部の形状に対応して形成され当該外面切除部を覆う着脱可能なカバー部と、を備えた端末用筐体であって、
前記外面切除部は、当該外面切除部が形成されている前記分割ケース部によって前記外面切除部の周囲の一部が塞がれていない開放部分を有する、
ことを特徴とする端末用筐体。
【請求項２】
前記カバー部の外周縁を、前記外面切除部の前記開放部分の形成箇所において当該外面切除部が形成されている前記分割ケース部とは異なる他の分割ケース部の外周縁にて形成される分割ラインにまで達するよう形成した、
ことを特徴とする請求項１記載の筐体用端末。
【請求項３】
前記外面切除部の開放部分及び前記分割ラインは、筐体の側面に位置する、
ことを特徴とする請求項２記載の端末用筐体。
【請求項４】
前記外面切除部の開放部分は、略長方形状である外面切除部の周囲の３辺に形成されており、当該開放部分である３辺が全て筐体の側面に位置する、
ことを特徴とする請求項３記載の端末用筐体。
【請求項５】
前記外面切除部が形成された前記分割ケース部は、前記外面切除部の形成箇所に前記カバー部に覆われるフレーム部を有する、
ことを特徴とする請求項１，２，３又は４記載の端末用筐体。
【請求項６】
前記フレーム部は、前記外面切除部が形成された分割ケース部とは異なる他の分割ケース部に係合すると共に、
前記カバー部は、前記フレーム部に係合する、
ことを特徴とする請求項５記載の端末用筐体。
【請求項７】
前記カバー部は、筐体内部に収容されるバッテリーを覆うバッテリー用カバーである、
ことを特徴とする請求項１，２，３，４，５又は６記載の端末用筐体。
【請求項８】
前記分割ケース部は、情報処理端末の表裏側に位置する一対の分割ケース部に形成されている、
ことを特徴とする請求項１，２，３，４，５，６又は７記載の端末用筐体。
【請求項９】
情報処理端末の表裏側にそれぞれ位置し、当該情報処理端末の側面にて係合する一対の分割ケース部を備えた端末用筐体であって、
前記分割ケース部の一方を、当該分割ケース部の長手方向における各端部をそれぞれ含むようさらに２つに分割し、その一方を着脱可能なカバー部として形成した、
ことを特徴とする端末用筐体。
【請求項１０】
請求項１乃至９記載の端末用筐体を備えた、ことを特徴とする電子機器。
【発明の詳細な説明】
【技術分野】
【０００１】
本発明は、端末用筐体にかかり、特に、端末の表裏にそれぞれ配置される一対のケース部を備えた端末用筐体に関する。
【背景技術】
【０００２】
近年、携帯電話機をはじめ、ＰＤＡ、ゲーム機、ポータブルオーディオプレーなど、携帯型電子機器が急速に普及している。これに伴い、携帯型電子機器の小型化、軽量薄型化が進み、かつ、コスト競争が激化し、製品開発する上で、他社製品との差別化が重要事項となっている。その中で、デザイン面で他社と差別化を図り、商品価値を高める必要性が生じている。
【０００３】
ここで、図５乃至図７に、従来における携帯電話機の筐体を示し、その構成について説明する。図５は、従来における携帯電話機の斜視図を示し、図６は、その正面図、側面図を示す。また、図７は、筐体の断面図を示す。なお、ここでは、ディスプレイやカメラ部が装備されている上側筐体１０１と、操作部が装備されている下側筐体１０２と、により構成された折り畳み式携帯電話機を例に挙げる。
【０００４】
図示するように、従来の携帯電話機の下側筐体１０２は、操作部が形成された表面側のフロントケース１０３と、裏面側のリアカバー１０４とが、携帯電話機の側面でつき合わせられて構成されている。そして、リアカバー１０４の外面の一部、具体的には下側半分の一部切除されており、かかる切除部分からバッテリーが内部に収容され、この部分にバッテリーカバー１０５が装着され、切除部分を覆うよう構成されている。
【０００５】
このとき、リアカバー１０４に形成された切除部分は、図５乃至図７に示すように、その周囲がリアカバー１０４にて囲まれた状態にて形成されている（符号１４１に示す部分）。従って、フロントケース１０３とバッテリーカバー１０５との間にリアカバー１０４（符号１４１）が見えており、側面における各カバー（ケース）間の分割ラインが多く形成されてしまう。つまり、図示した従来例では、フロントケース１０３とリアカバー１０４との分割ラインＬ１０１と、リアカバー１０４とバッテリーカバー１０５との分割ラインＬ１０２と、いうように２本の分割ラインが形成されているため、デザイン面で制限が生じる、という問題があった。また、かかる構成により、携帯電話機の薄型化にも限界が生じうる。なお、このような構造の筐体は、下記特許文献１にも開示されている。
【０００６】
【特許文献１】特開２００１−１１９４５５号公報
【発明の開示】
【発明が解決しようとする課題】
【０００７】
このため、本発明では、上記従来例の有する不都合を改善し、特に、デザイン性の向上を図ると共に、薄型化を図ることができる端末用筐体を提供する、ことをその目的とする。
【課題を解決するための手段】
【０００８】
そこで、本発明の一形態である端末用筐体は、
情報処理端末の外面を形成する少なくとも２以上に分割された分割ケース部と、少なくとも１つの分割ケース部に形成されその外面の一部が切除された外面切除部と、この外面切除部の形状に対応して形成され当該外面切除部を覆う着脱可能なカバー部と、を備えた端末用筐体であって、
外面切除部は、当該外面切除部が形成されている分割ケース部によって外面切除部の周囲の一部が塞がれていない開放部分を有する、
ことを特徴としている。
【０００９】
そして、カバー部の外周縁を、外面切除部の開放部分の形成箇所において当該外面切除部が形成されている分割ケース部とは異なる他の分割ケース部の外周縁にて形成される分割ラインにまで達するよう形成した、ことを特徴としている。
【００１０】
上記発明によると、まず、情報処理端末の筐体は、主に、２以上に分割された分割ケース部にて形成されており、例えば、表裏側にそれぞれ分割された一対の分割ケース部にて形成されている。そして、分割ケース部には、例えばバッテリーを着脱するために、外面の一部が切除された筐体内部に通ずる外面切除部が形成されており、この外面切除部を覆うカバー部が着脱可能に装備されている。このとき、外面切除部の周囲の一部は、当該外面切除部が形成されている分割ケース部によって塞がられておらず、他の分割ケース部の外周縁にまで達している。そして、これに対応して、外面切除部を覆うカバー部の外周縁も、他の分割ケース部の外周縁にまで達するよう形成されている。従って、外面切除部を覆うカバー部の外周縁が他の分割ケース部と直接当接し、これらの間に、従来例のように外面切除部が形成された分割ケース部の一部が存在することを抑制することができる。その結果、筐体外面に形成される分割ラインの数を削減することができ、デザイン性の向上を図ることができる。
【００１１】
また、上記構成において、外面切除部の開放部分及び分割ラインは、筐体の側面に位置する、ことを特徴としている。これにより、筐体の表裏面側に分割ラインが表れることを抑制し、側面における分割ラインの数を削減することができ、さらなるデザイン性の向上を図ることができる。また、情報処理端末の薄型化を図ることができる。そして、さらに、外面切除部の開放部分を、略長方形状である外面切除部の周囲の３辺に形成し、かかる３辺が全て筐体の側面に位置することで、側面全体の分割ラインを削減することができ、さらなるデザイン性の向上、及び、端末の薄型化を図ることができる。
【００１２】
また、外面切除部が形成された分割ケース部は、外面切除部の形成箇所にカバー部に覆われるフレーム部を有する、ことを特徴としている。そして、フレーム部は、外面切除部が形成された分割ケース部とは異なる他の分割ケース部に係合すると共に、カバー部は、フレーム部に係合する、ことを特徴としている。
【００１３】
これにより、外面切除部箇所は、筐体外面のみが切除されているだけであって、内部には分割ケース部の一部となるフレーム部が形成されているため、筐体の剛性の向上を図ることができる。また、このフレーム部にカバー部を係合して装着することができるため、カバー部の装着構造の容易化、及び、装着時の強度の向上を図ることができる。
【００１４】
さらに、本発明の他の形態は、情報処理端末の表裏側にそれぞれ位置し、当該情報処理端末の側面にて係合する一対の分割ケース部を備えた端末用筐体であって、分割ケース部の一方を、当該分割ケース部の長手方向における各端部をそれぞれ含むようさらに２つに分割し、その一方を着脱可能なカバー部として形成した、ことを特徴としている。このような構成であっても、上述同様に、筐体外面に形成される分割ラインの数を削減することができ、デザイン性の向上を図ることができる。
【発明の効果】
【００１５】
本発明は、以上のように構成され機能するので、これによると、筐体を構成する分割されたケースあるいはカバーによって形成され、筐体表面に表れる分割ラインの本数を抑制することができ、筐体及びこれを用いる電子機器のデザイン性の向上を図ることができる、という従来にない優れた効果を有する。
【発明を実施するための最良の形態】
【００１６】
本発明の具体的な構成を、以下、実施例にて説明する。なお、以下では、携帯電話機に用いられる筐体を例に挙げて説明するが、パソコン、ＰＤＡ、ゲーム機、ポータブルオーディオプレーなど、他の電子機器に用いられる筐体であってもよい。
【実施例１】
【００１７】
本発明の第１の実施例を、図１乃至図４を参照して説明する。図１は、本実施例における携帯電話機の斜視図を示し、図２、図３は、携帯電話機の側面図、正面図を示す。また、図４は、筐体の断面図を示す。
【００１８】
図１乃至図３に示すように、本実施例における携帯電話機は、ディスプレイやカメラ部が装備されている上側筐体１と、操作部が装備されている下側筐体２と、により構成された折り畳み式携帯電話機である。そして、上側筐体１、下側筐体２共に、略長方形形状に形成されており、厚み部分が側面となっている。なお、上側筐体１は、従来の構成と同様であるため、その説明は省略する。
【００１９】
そして、携帯電話機の下側筐体２は、操作部が形成された表面側を覆うフロントケース３と、裏面側を覆うリアカバー４とが、携帯電話機の側面で嵌め合わさって構成されている。つまり、下側筐体２は、側面で表面側と裏面側とに分割された一対の分割ケース部にて、その外形が主に構成されている。また、リアカバー４には、内部に収容されるバッテリーを着脱するために外面が切除された外面切除部４２が形成されており、当該外面切除部４２を覆うバッテリーカバー５が設けられている。以下、各構成についてさらに詳述する。
【００２０】
フロントケース３は、下側筐体２の表面側の全体を覆うよう略長方形状に形成された板状部材である。具体的に、図４に示す図２のＡ−Ａ線断面図に示すように、フロントケース３の外周縁は、ほぼ直角に曲折され、下側筐体２の側面を形成する側壁部３１が形成されている。つまり、フロントケース３は、周囲が側壁部３１にて囲まれ、所定の深さを有する凹状に形成されている。なお、フロントケース３の表面部分には、操作ボタンを外部に露出させる多数の穴（図示せず）が形成されている。
【００２１】
また、リアカバー４は、上記フロントケース３と内面側が対峙するよう配置されて、当該フロントケース３と嵌め合わって固定され、下側筐体２の裏面側を覆うケースである。但し、リアカバー４は、下側筐体２の上側半分（上側筐体１との連結部側）のみを覆うよう上側のみに外面部分が形成されている。そして、この上側半分の外面部分は、ほぼフロントケース３と対称の形状となっており、周囲には外面に対してほぼ垂直に曲折された側壁部４１が形成され、フロントカバー３の外周縁を形成する側壁部３１と当接し、下側筐体２の側面が形成される。なお、側面においてフロントカバー３の側壁部３１とリアカバー４の側壁部４１との当接箇所は、筐体の分割ラインＬ１となる。
【００２２】
そして、リアカバー４の下側半分（上側筐体１との連結部側とは反対側）の外面部分は全て切除されている。この外面切除部分（外面切除部４２）は、従来例と比較すると、その周囲がリアカバー４にて塞がれておらず、下側筐体２の側面に位置する部分が全て開放された状態となっている（開放部分）。つまり、従来例にて説明した図６（ａ）及び図７にて符号１４１で示した筐体の側面部分が、本実施例では形成されていない。換言すると、下側筐体２の側面に位置する外面切除部４２の周囲である開放部分は、フロントケース３の外周縁である側壁部３１にて形成される後述する分割ラインにまで達している。このように、本実施例における形状の携帯電話機では、外面切除部４２が略長方形状に形成されており、その一辺がリアカバー４に当接し、他の三辺は筐体の側面にて開放部分となっている。
【００２３】
また、上記リアカバー４には、外面切除部４２の形成箇所に、下側筐体２の両側面付近に当該側面に沿って下端方向（上側筐体１とは反対側の端部方向）に向かって延びる２本のフレーム部４３が設けられている。なお、これらフレーム部４３は、外部に露出される外面部分は形成されておらず、リアカバー４の上側半分の外面部分と比較すると、一段階低く形成されている。そして、これらフレーム部４３は、図４の断面図に示すように、フロントケース３に係合される。さらに、フレーム部４３の長手方向に沿ったほぼ中央の側面側には、鍵状の溝部４４（係合部）が形成されており、後述するカバー部５に形成された爪部が嵌合される。
【００２４】
そして、上記リアカバー４の下側半分、つまり、上述した外面切除部４２の形成箇所には、当該外面切除部４２を覆うバッテリーカバー５（カバー部）が着脱可能に装備される。このバッテリーカバー５は、外面切除部４２によって切除されたリアカバー４の外面部分とほぼ同一形状であって、当該リアカバー４とバッテリーカバー５とが組み合わさって、表面側のフロントケース３とほぼ同形状となり、裏面側の外面全体を覆うことができる。
【００２５】
具体的に、バッテリーカバー５は、図１や図４に示すように、筐体の側面を形成する側壁部５１が形成された断面コ字状の薄板部材にて形成されている。そして、この側壁部５１は、下側筐体の上側半分に形成されているリアカバー４の側壁部４１とほぼ同一の高さにて形成されている。従って、バッテリーカバー５の外周縁である側壁部５１は、装着されると、フロントカバー３の下側半分に位置する外周縁である側壁部３１にて形成される分割ラインに位置する。また、バッテリーカバー５の側壁部５１の内面側には、図４に示すように、上述したリアカバー４に形成された溝部４４に嵌合される爪部が形成されており、当該リアカバー４に固定することができる。
【００２６】
そして、上述したリアカバー４及びバッテリーカバー５によって形成される裏面側の筐体の構造を言い換えると、上述したフロントケース３とほぼ同形状であり筐体の側面で係合する裏面側を覆うケースが、長手方向における各端部をそれぞれ含むようその中央付近で短辺に沿って２つに分割されて形成されており、その一方が上記リアカバー４となり、他方がバッテリーカバー５となっている。
【００２７】
以上のように構成することで、リアカバー４の下側半分、つまり、バッテリーカバー５にて覆われている箇所の側面は、バッテリーカバー５の側壁部５１が直接フロントケース３の側壁部３１と突き合わさる。つまり、バッテリーカバー５の側面側に位置する外周縁が、フロントケース３の外周縁とほぼ当接して位置し、符号Ｌ２に示すような分割ラインが１本のみ形成される。そして、この分割ラインＬ２は、リアカバー４の上側半分に形成される当該リアカバー４とフロントケース３との間に形成される分割ラインＬ１の延長線上に位置し、側面には全体として１本の分割ラインのみが形成されているだけとなる。つまり、図５乃至図７に示した従来例と比較して、フロントケース３とバッテリーカバー５の間に、リアカバー４の一部が位置することなく、分割ラインの削減を図ることができる。従って、デザイン性の向上を図ることができ、他製品との差別化を図ることができるため、商品販売数の増大を図ることができる。これに加え、側面部分において筐体構成を簡略化することができ、携帯電話機の薄型化を図ることができる。
【００２８】
さらに、リアカバー４の外面切除部４２は、外面部分が切除されているものの、内部にはフレーム部４３が形成されているため、筐体の剛性の向上を図ることができ、また、このフレーム部４３にバッテリーカバー５を係合して装着することができるため、当該バッテリーカバー５の装着構造の容易化、及び、装着時の強度の向上を図ることができる。
【００２９】
なお、上記では、筐体の側面に分割ラインが位置する場合を例示したが、他の面（例えば、背面側）に上述した分割ラインＬ１，Ｌ２が位置するよう、フロントケース３、リアカバー４、バッテリーカバー５の形状をそれぞれ形成してもよい。
【００３０】
また、上述した下側筐体２は、表面側にフロントケース３、裏面側にリアカバー４というように、主に一対の分割ケースによって構成されている場合を例示したが、さらに、複数の分割ケースによって筐体が構成され、これに、着脱自在なバッテリーカバー５や他のカバーが装備されていてもよい。
【産業上の利用可能性】
【００３１】
本発明にかかる筐体は、携帯電話機やその他の電子機器に利用することができ、産業上の利用可能性を有する。
【図面の簡単な説明】
【００３２】
【図１】本発明における携帯電話機の斜視図である。
【図２】図２（ａ）は、本発明における携帯電話機の側面図であり、図２（ｂ）は、その正面図である。
【図３】本発明における携帯電話機のバッテリーカバーを取り外したときの図であり、図３（ａ）はその側面図を示し、図３（ｂ）はその正面図を示す。
【図４】図２（ａ）に示す携帯電話機のＡ−Ａ線断面図である。
【図５】従来例における携帯電話機の斜視図である。
【図６】図６（ａ）は、従来例における携帯電話機の側面図であり、図６（ｂ）は、その正面図である。
【図７】従来例における携帯電話機の断面図である。
【符号の説明】
【００３３】
１  上側筐体
２  下側筐体
３  フロントケース
４  リアカバー
５  バッテリーカバー
３１  側壁部（フロントケース）
４１  側壁部（リアカバー）
４２  外面切除部
４３  フレーム部
４４  溝部
５１  側壁部（バッテリーカバー）
Ｌ１，Ｌ２  分割ライン
【図１】
2008131064.tif 000003
【図２】
2008131064.tif 000004
【図３】
2008131064.tif 000005
【図４】
2008131064.tif 000006
【図５】
2008131064.tif 000007
【図６】
2008131064.tif 000008
【図７】
2008131064.tif 000009